(57)【要約】【課題】狭隘な隙間を保守点検可能なビデオスコープを、高電圧で送電されている電気機器に適用可能とすることが可能なビデオスコープ用のガイド管を提供する。【解決手段】  上記課題を解決するために、本発明の特徴は、可撓性を有するケーブル２０４の先端に受光部２０８を有するビデオスコープ２００のガイド管１００であって、絶縁性と可撓性を有してケーブル２０４を挿入しうる本体チューブ１０２と、絶縁性を有して本体チューブ１０２の先端に取り付けられた管状の先端部材１１０と、絶縁性を有して先端部材１１０の先端の開口部１１４ｃに取り付けられた透明カバー１２０と、備えたことを特徴とする。【選択図】図１
2010122291.tif 000002
【特許請求の範囲】
【請求項１】
可撓性を有するケーブルの先端に受光部を有するビデオスコープのガイド管であって、
絶縁性と可撓性を有して前記ケーブルを挿入しうる本体チューブと、
絶縁性を有して前記本体チューブの先端に取り付けられた管状の先端部材と、
絶縁性を有して前記先端部材の先端の開口部に取り付けられた透明カバーと、
を備えたことを特徴とするビデオスコープのガイド管。
【請求項２】
前記本体チューブは、屈曲状態を保持しうるフレキシブルチューブを有することを特徴とする請求項１に記載のビデオスコープのガイド管。
【請求項３】
前記本体チューブは、屈曲状態を保持しうるフレキシブルチューブの外側を、絶縁性を有する樹脂によって多重被覆されていることを特徴とする請求項１に記載のビデオスコープのガイド管。
【請求項４】
前記本体チューブは、屈曲状態を保持しうるフレキシブルチューブの外側を、絶縁性を有し色の異なる樹脂によって多重被覆されていることを特徴とする請求項１に記載のビデオスコープのガイド管。
【請求項５】
前記本体チューブは、
屈曲した状態で形状を保持しうるフレキシブルチューブと、
前記フレキシブルチューブの上に配置され絶縁性を有する第１被覆と、
前記第１被覆の上に配置され絶縁性を有する第２被覆とを有し、
前記先端部材の内側に前記第１被覆に覆われた前記フレキシブルチューブの先端が挿入されており、
前記第２被覆が前記本体チューブから前記先端部材の外側にかぶさるように覆っていることを特徴とする請求項１に記載のビデオスコープのガイド管。
【請求項６】
前記先端部材の外周には１または複数の環状の溝が形成されており、
前記第２被覆は、前記溝の位置で締着していることを特徴とする請求項５に記載のビデオスコープのガイド管。
【請求項７】
前記先端部材の内部には、前記ビデオスコープの先端外周にある凸部と当接する小径部を有していることを特徴とする請求項１に記載のビデオスコープのガイド管。
【請求項８】
前記先端部材は、
前記本体チューブに取り付けられるアタッチメントと、
前記アタッチメントに取り付けられるガイドカバーと、
前記アタッチメントと前記ガイドカバーの間に配置される防水シールとを有し、
前記透明カバーは、前記ガイドカバーの先端の開口部に取り付けられていることを特徴とする請求項１に記載のビデオスコープのガイド管。
【発明の詳細な説明】
【技術分野】
【０００１】
本発明は、ケーブルの先端に受光部を有するビデオスコープを、絶縁性および防汚性が必要な箇所に案内するためのガイド管に関する。
【背景技術】
【０００２】
従来から、ケーブルの先端に受光部を有して静止画像や動画像を撮影するビデオスコープ（内視鏡とも称される）が提供されている。ビデオスコープは狭隘な箇所を観察するために、工業用や医療用として広く利用されている。
【０００３】
ビデオスコープの利用方法ないし適用箇所として、例えば地上用変圧器（ＰＭＴ：Pad Mounted Transformer）のような電気機器の保守点検がある。特に商用電源を供給する機器は電気の供給を容易には停止することができないため、活線の状態（通電状態。充電状態ともいう）で点検を行う必要がある。このため機器を分解することができず、機器の隙間からその内部を観察したいという要請がある。
【０００４】
しかし、活線状態の電気機器にビデオスコープを挿入すると、ビデオスコープに高電圧が通電されて故障を招いたり、その漏電のために安全装置が働いて周辺の電力供給が停止してしまうおそれがある。
【０００５】
特許文献１には、窓部を有する先端の外装構造体と、撮像手段を有する内部構造体とを絶縁するための絶縁手段（絶縁膜）を備えた構成が記載されている。
【特許文献１】特開平０９−２６５０４７号公報
【発明の開示】
【発明が解決しようとする課題】
【０００６】
上記のように電気機器に使用するビデオスコープには絶縁性が求められるが、配電用の電気機器に使用するためには、単に絶縁被覆すればよいというほど容易ではない事情がある。
【０００７】
まず、変圧器のような電気機器の場合、低圧１００Ｖ、２００Ｖと、高圧６６００Ｖの電圧で常時送電されている。このため簡易な絶縁では絶縁破壊を生じてしまうため、厳重かつ確実な絶縁が必要となる。そして、厳重に絶縁するとなると絶縁部材の厚みが必要になるため、必然的に寸法（径）が大きくなってしまう。
【０００８】
一方、電気機器とはいえ必ずしも通電してしまう箇所ばかりではなく、そして隙間が広い部分も狭い部分もある。例えば電気機器の底面などは、隙間が狭く、かつ絶縁性は必要ではない。そのような狭い箇所にも挿入できるような細いケーブルにしようとすると、特に先端の受光部に強度を持たせるためには、材質を金属（主にステンレススチール）にしなければならないため、絶縁性は期待できない。
【０００９】
そこで絶縁性のある太いビデオスコープと、絶縁性のない細いビデオケーブルを準備することが考えられるが、現地で機器の保守点検を行うことが目的であるから、両方のケーブルを持ち歩いて取り替えながら点検を行うことは、作業員の労が多大である。したがって、軽量化による可搬性もあわせて求められている。
【００１０】
また、ビデオスコープの中には、ケーブルの内部に姿勢制御用のワイヤーを挿通し、受光部の向きを操作しうる構造を有しているものがある。内部においてケーブル先端の方向を操作できることは、確かに点検作業において有効である。しかし姿勢制御可能なケーブルは構造が複雑になるために高価になり、また径が太くなりがちであり、かつ耐久性が低い（外力に弱い）という問題がある。さらに確実な絶縁のために径が太くなった場合、ケーブル自体の剛性が高くなるため、ワイヤーによる姿勢制御は困難になってしまうという問題もある。したがって、絶縁性と共に、機材操作性も求められている。
【００１１】
そこで本発明は、狭隘な隙間を保守点検可能なビデオスコープを、高電圧で送電されている電気機器に適用可能とすることが可能なビデオスコープ用のガイド管を提供することを目的としている。
【課題を解決するための手段】
【００１２】
上記課題を解決するために、本発明の特徴は、可撓性を有するケーブルの先端に受光部を有するビデオスコープのガイド管であって、絶縁性と可撓性を有してケーブルを挿入しうる本体チューブと、絶縁性を有して本体チューブの先端に取り付けられた管状の先端部材と、絶縁性を有して先端部材の先端の開口部に取り付けられた透明カバーと、備えたことを特徴とする。
【００１３】
上記構成のガイド管は、ビデオスコープのケーブルを本体チューブに挿入し、先端の開口部に取り付けられた透明カバーの位置まで到達させた状態で、活線状態の電気機器に挿入することができる。これによりビデオスコープのケーブルは絶縁性が確保され、高電圧で送電されている電気機器の内部を観察することが可能となる。また絶縁性が必要でない場合には当該ガイド管を用いないことにより、細径のビデオスコープを利用することができ、一つの機器によって狭隘な箇所と高電圧で送電されている箇所の両方に適用することができる。
【００１４】
なお、本体チューブが可撓性を有していることにより、ガイド管は機器の様々な隙間に柔軟に対応して変形し、円滑に内部に挿入することができる。また先端部材の開口部に絶縁性を備えた透明カバーを備えていることにより、空気よりも絶縁性を高めることができると共に、ビデオスコープの先端が先端部材から飛び出して通電してしまうことを防止することができる。
【００１５】
本体チューブは、屈曲状態を保持しうるフレキシブルチューブを有していてもよい。
【００１６】
屈曲状態の曲げ形状を保持しうるフレキシブルチューブとしては、鉄やステンレススチール、銅などの金属を組み合わせた、いわゆるインターロック管やスタンドチューブなどを利用することができる。これにより、ガイド管の先端の形状をあらかじめ観察したい方向に曲げてから挿入することにより、ビデオスコープのケーブルに姿勢制御のための機構を有することなく、任意の方向を観察することができる。なおフレキシブルチューブが金属製である場合には、高電圧に耐える絶縁被覆をすることが必要であるが、ガイド管の絶縁被覆が厚くなったとしてもビデオスコープのケーブルは細いままであるので、狭隘部を観察できることに対しては影響しない。
【００１７】
本体チューブは、屈曲状態を保持しうるフレキシブルチューブの外側を、絶縁性を有する樹脂によって多重被覆されていてもよい。
【００１８】
所望の絶縁性能を得るためには絶縁被覆が必要であるが、単層で所定の厚みの被覆を設けると、被覆が傷ついた際に亀裂が深部まで達し、漏電を生じてしまうおそれがある。しかし、上記のように複数の層の被覆を設けることにより、亀裂は外側の１層のみとなり、深さ方向の亀裂の進行を防ぐことができる。したがって絶縁性を確保することが可能となる。
【００１９】
さらに上記構成により本体チューブのうち外側の１層のみを交換可能となるため、このガイド管の保守にかかるコストを低減することができる。
【００２０】
また、熱収縮チューブによって絶縁被覆を構成する場合、層厚が厚いと収縮率が低下し、密着しにくくなってしまうおそれがある。しかし複数の層に分けて絶縁被覆を構成することにより、密着させつつ層厚を厚くすることができ、防水性能を確保することが可能となる。
【００２１】
本体チューブは、屈曲状態を保持しうるフレキシブルチューブの外側を、絶縁性を有し色の異なる樹脂によって多重被覆されていてもよい。
【００２２】
本体チューブは機器の中に挿抜するものであるから、機器の角に擦れて摩耗するおそれがある。そのような場合において絶縁被覆の肉厚が薄くなると、絶縁性能が知らぬ間に低下しているおそれがある。しかし上記のように多重被覆された樹脂の色を異ならせることにより、摩耗すれば下の層の色を視認することができるため、使用者が容易かつ確実に摩耗の程度を知ることができる。これにより絶縁性能を確保することができ、ビデオスコープに通電してしまうことを確実に防止することができる。
【００２３】
本体チューブは、屈曲した状態で形状を保持しうるフレキシブルチューブと、フレキシブルチューブの上に配置され絶縁性を有する第１被覆と、第１被覆の上に配置され絶縁性を有する第２被覆とを有し、先端部材の内側に第１被覆に覆われたフレキシブルチューブの先端が挿入されており、第２被覆が本体チューブから先端部材の外側にかぶさるように覆っていてもよい。
【００２４】
ガイド管は、活線状態の電気機器ばかりではなく、汚泥、汚水箇所などビデオスコープが著しく汚れてしまう箇所においても使用したい要請がある。そのためガイド管は、高い防水性能を備えていることが好ましい。そこで本体チューブと先端部材の継ぎ目において、先端部材を多重被覆によって挟み込むことにより、高い防水性能を得ることが可能となる。
【００２５】
先端部材の外周には１または複数の環状の溝が形成されており、第２被覆は、溝の位置で締着していてもよい。締着は、例えばテグスなどの樹脂製の糸を好適に用いることができる。また、糸を巻回して締着した上から、接着剤を用いて糸を固着させることにより、より確実に締着させることができる。
【００２６】
上記構成によれば、本体チューブと先端部材の継ぎ目の防水性能をさらに向上させることが可能となる。
【００２７】
先端部材の内部には、ビデオスコープの先端外周にある凸部と当接する小径部を有していてもよい。なお、ビデオスコープ自体は本願発明に含まれない。
【００２８】
ビデオスコープの先端外周に凸部（段部）がある場合において、先端部材の内部に小径部（段部）を設けることにより、ビデオスコープの凸部を小径部とが当接することにより、ビデオスコープのケーブルの挿入深さ（挿入位置）を規定することができる。これによりビデオスコープの先端が透明カバーに突き当たり、傷をつけて透明度を低下させてしまうおそれがない。また小径部の内径をビデオスコープの先端部の外形と略等しくすることにより、その位置および姿勢を正確に規定することができる。
【００２９】
先端部材は、本体チューブに取り付けられるアタッチメントと、アタッチメントに取り付けられるガイドカバーと、アタッチメントとガイドカバーの間に配置される防水シールとを有し、透明カバーは、ガイドカバーの先端の開口部に取り付けられていてもよい。
【００３０】
これにより、先端部材のうちガイドカバーのみを交換することができる。先端部材は機器の隙間から挿入されるものであるから、様々な箇所に突き当たり、摩耗したり傷ついたりする。特に透明カバーは傷つくことによって透明度が低下し、ビデオスコープの画像が不鮮明になってしまうおそれがある。しかし上記のようにガイドカバーおよび透明カバーを交換可能とすることにより、このガイド管の保守のためのコストを低減させることができる。
【発明の効果】
【００３１】
本発明によれば、狭隘な隙間を保守点検可能なビデオスコープを、高電圧で送電されている電気機器に適用可能とすることが可能なビデオスコープ用のガイド管を提供することができる。
【発明を実施するための最良の形態】
【００３２】
本発明に係るビデオスコープのガイド管の実施形態について説明する。なお、以下の実施例に示す寸法、材料、その他具体的な数値などは、発明の理解を容易とするための例示に過ぎず、特に断る場合を除き、本発明を限定するものではない。
【００３３】
図１はビデオスコープおよび本実施形態に係るガイド管の構成例を説明する図である。なお上述したように、本発明にビデオスコープ自体は含まれないため、簡略に説明する。
【００３４】
図１に示すビデオスコープ２００は、本体２０２と、可撓性を有するケーブル２０４、ケーブル２０４の先端に設けられた受光部２０８、静止画像や動画像のモニタリングおよび録画を行う録画装置２１２を備えている。
【００３５】
本体２０２は、上面２０２ａに電源スイッチや各種ボリュームのつまみ、ケーブル２０４を接続するＢＮＣ端子、録画装置２１２を接続するＲＣＡ端子（ビデオ端子）などを有している。このように上面２０２ａに全ての操作部を配置していることにより、本体２０２をケース２１４に収納したままでビデオスコープを使用することができる。なおケース２１４は本体２０２の高さよりも深く形成されており、本体２０２の上に残る空間にケーブル２０４や録画装置２１２を収納することができる。また本体２０２の下部にはバッテリ２０２ｂが備えられており、外出先でビデオスコープ２００を使用できるようになっている。バッテリ２０２ｂは、継ぎ足し充電でもメモリ効果を生じないリチウムイオン電池であることが好ましい。
【００３６】
ケーブル２０４は可撓性を有し、内部に受光部２０８と本体２０２とを接続する電線または光ファイバが通っている。なお受光部２０８にＣＣＤなどの撮像素子を備えていてもよいし、本体２０２内に撮像素子を配置して受光部２０８から光を導いてもよい。ケーブル２０４の先端部２０６は、直径約６ｍｍのステンレススチール製の円筒部材であって、外周に凸部２０６ａが形成されている。先端部２０６の開口端であって受光部２０８の周囲には、観察部位を照らすための照明２１０が設けられている。照明２１０は先端部２０６にＬＥＤを配置してもよいし、また本体２０２内に配置したランプから光ファイバなどを用いて先端部２０６まで光を導いてもよい。
【００３７】
録画装置２１２は、液晶モニタを備え、受光部２０８から撮像した画像を常時表示させながら、トリガーとなるキーを操作することによって、静止画像又は動画像を録画することができる。
【００３８】
これらのことから、ビデオスコープ２００は作業員がケース２１４を肩にかけた状態で操作し、点検作業を行うことができる。したがって地上用変圧器のみならず柱上変圧器などの電柱上部の高所での点検作業にも適用可能である。
【００３９】
ガイド管１００は、ビデオスコープ２００のケーブル２０４を内部に挿入することにより、その先端をガイドする。ガイド管１００の長さは適切に定めることができるが、１ｍ〜１．５ｍ程度が取り回しをしやすい長さである。
【００４０】
図２はガイド管の構成を説明する図である。ガイド管１００は、ケーブル２０４および２０６と対象となる電気機器との間を絶縁する役割と、防汚防水の役割とを有している。ガイド管１００は、大別して、絶縁性と可撓性を有してケーブルを挿入しうる本体チューブ１０２と、絶縁性を有して本体チューブ１０２の先端に取り付けられた管状の先端部材１１０と、絶縁性を有して先端部材１１０の先端の開口部に取り付けられた透明カバー１２０と、本体チューブ１０２の後端に取り付けられた後端部材１３０とを備えている。
【００４１】
図３は本体チューブの構成を説明する図である。図３に示すように、本体チューブ１０２は、フレキシブルチューブ１０４と、その外側に配置された絶縁性を有する第１被覆１０６と、第１被覆１０６の上に配置された絶縁性を有する第２被覆１０８を有している。これにより本体チューブ１０２は、可撓性を有すると共に、屈曲状態を保持することができる。本体チューブ１０２が可撓性を有していることにより、ガイド管１００は機器の様々な隙間に柔軟に対応して変形し、円滑に内部に挿入することができる。
【００４２】
屈曲状態の曲げ形状を保持しうるフレキシブルチューブ１０４としては、鉄やステンレススチール、銅などの金属を組み合わせた、いわゆるインターロック管やスタンドチューブなどを利用することができる。これにより、ガイド管１００の先端の形状をあらかじめ観察したい方向に曲げてから機器に挿入することにより、ビデオスコープ２００のケーブル２０４に姿勢制御のための機構を有することなく、任意の方向を観察することができる。
【００４３】
また第１被覆１０６と第２被覆１０８とを重ねた多重被覆とすることにより、絶縁性と防水性を向上させることができる。所望の絶縁性能を得るためには絶縁被覆に厚みが必要であるが、単層で所定の厚みの被覆を設けると、被覆が傷ついた際に亀裂が深部まで達し、漏電を生じてしまうおそれがある。しかし、上記のように複数の層の被覆を設けることにより、亀裂は外側の第２被覆層１０８の１層のみとなり、深さ方向の亀裂の進行を防ぐことができる。したがって絶縁性を確保することが可能となる。
【００４４】
さらに上記構成により本体チューブ１０２のうち第２被覆層１０８のみを交換可能となるため、このガイド管１００の保守にかかるコストを低減することができる。
【００４５】
また、熱収縮チューブによって絶縁被覆を構成する場合、層厚が厚いと収縮率が低下し、密着しにくくなってしまうおそれがある。しかし、絶縁被覆を多重被覆とすることにより、個々の被覆の厚みは薄くてよいので、高い収縮率を得ることができる。したがって、密着させつつ層厚を厚くすることができ、防水性能を確保することが可能となる。
【００４６】
また第１被覆１０６と第２被覆１０８とは、異なる色の樹脂で形成している。本体チューブ１０２は機器の中に挿抜するものであるから、機器の角に擦れて摩耗するおそれがある。そのような場合において絶縁被覆の肉厚が薄くなると、絶縁性能が知らぬ間に低下しているおそれがある。しかし上記のように多重被覆された被覆の色を異ならせることにより、摩耗すれば下の層の色を視認することができるため、使用者が容易かつ確実に摩耗の程度を知ることができる。これにより絶縁性能を確保することができ、ビデオスコープに通電してしまうことを確実に防止することができる。
【００４７】
図４は先端部材の構成を説明する図である。図４に示すように、先端部材１１０は、本体チューブ１０２に取り付けられるアタッチメント１１２と、アタッチメント１１２に取り付けられるガイドカバー１１４と、アタッチメント１１２とガイドカバー１１４の間に配置される防水シール１１６とを有している。アタッチメント１１２は内孔１１２ａを有し、ガイドカバー１１４は内孔１１４ａを有しており、いずれも筒部材である。アタッチメント１１２とガイドカバー１１４とを接合することによって、先端部２０６を挿入するための先端部材１１０を構成する。先端部材１１０は、ポリ塩化ビニル（ＰＶＣ）、ポリカーボネート（ＰＣ）、ポリエチレン（ＰＥ）、ポリエチレンテレフタレート（ＰＥＴ）、ポリプロピレン（ＰＰ）など、所定の絶縁性と硬度を有する樹脂材料であれば好適に用いることができる。
【００４８】
ガイドカバー１１４の内孔１１４ａには、ケーブル２０４の先端部２０６のがたつきを防止するためのＯリング１１８を備えている。透明カバー１２０は、ガイドカバー１１４の先端の開口部１１４ｃに接着等により取り付けられている。このようにガイドカバー１１４の開口部１１４ｃに絶縁性を備えた透明カバー１２０を備えていることにより、空気よりも絶縁性を高めることができると共に、ビデオスコープ２００の先端部２０６が先端部材１１０から飛び出して通電してしまうことを防止することができる。
【００４９】
またガイドカバー１１４の内部には、ビデオスコープ２００の先端部２０６の外周にある凸部２０６ａと当接する小径部１１４ｄを有している。ビデオスコープ２００の先端外周に凸部２０６ａ（段部）がある場合において、先端部材１１０の内部に小径部１１４ｄ（段部）を設けることにより、ビデオスコープ２００の凸部２０６ａと小径部１１４ｄとが当接し、ガイド管１００に対するビデオスコープ２００のケーブル２０４の挿入深さ（挿入位置）を規定することができる。これによりビデオスコープ２００の先端が透明カバー１２０に突き当たり、傷をつけて透明度を低下させてしまうおそれがない。また小径部１１４ｄの内径をビデオスコープ２００の先端部の外形と略等しくすることにより、その位置および姿勢を正確に規定することができる。
【００５０】
アタッチメント１１２の外周には雄ネジ１１２ｂが切られており、ガイドカバー１１４の内周には雌ネジ１１４ｂが切られている。したがってガイドカバー１１４をアタッチメント１１２に対して螺合させることにより容易に取り付け、または交換することができる。なお防水シール１１６は雄ネジ１１２ｂよりも先端側に配置されたＯリングであって、ガイドカバー１１４の内周に当接して防水性を確保することができる。
【００５１】
上記構成により、先端部材１１０のうちガイドカバー１１４のみを交換することができる。先端部材１１０は機器の隙間から挿入されるものであるから、様々な箇所に突き当たり、摩耗したり傷ついたりする。特に透明カバー１２０は傷つくことによって透明度が低下し、ビデオスコープ２００の画像が不鮮明になってしまうおそれがある。しかし上記のようにガイドカバー１１４および透明カバー１２０を交換可能とすることにより、このガイド管１００の保守のためのコストを低減させることができる。
【００５２】
図５は先端部材（アタッチメント）と本体チューブの接続を説明する図である。図５（ａ）に示すように、アタッチメント１１２の内孔１１２ａに第１被覆１０６に覆われたフレキシブルチューブ１０４の先端を挿入し、第２被覆１０８が本体チューブ１０２からアタッチメント１１２の外側にかぶさるように覆っている。そして第２被覆１０８を熱収縮させて密着させている。
【００５３】
ガイド管１００は、活線状態の電気機器ばかりではなく、汚泥、汚水箇所などビデオスコープ２００が著しく汚れてしまう箇所においても使用したい要請がある。そのためガイド管１００は、高い防水性能を備えていることが好ましい。そこで本体チューブ１０２と先端部材１１０の継ぎ目において、先端部材１１０を多重被覆によって挟み込むことにより、高い防水性能を得ることが可能となる。
【００５４】
さらに図５（ｂ）に示すように、本実施形態においては、アタッチメント１１２の外周には、１または複数の環状の溝１１２ｃが形成されている。そして第２被覆１０８の外側から、溝１１２ｃの位置をテグスなどの樹脂製の糸１１３を用いて締着し、接着剤を用いて糸１１３を固着させている。これによりアタッチメント１１２を本体チューブ１０２に確実に取り付けると共に、第２被覆１０８をさらに確実に締着させ、本体チューブ１０２と先端部材１１０の継ぎ目の防水性能をさらに向上させることが可能となる。
【００５５】
図６はガイド管の使用態様を説明する図である。図６（ａ）に示すように、絶縁性または防汚性が必要な場合には、ガイド管１００にビデオスコープ２００のケーブル２０４を挿入する。そして図６（ｂ）に示すように、ビデオスコープ２００の受光部２０８を、ビデオスコープ２００の先端の透明カバー１２０の位置まで到達させる。この状態で、ビデオスコープ２００は絶縁性および防汚性が確保された状態となり、図６（ｃ）に示すように高電圧で送電されている活線状態の電気機器３００に挿入し、その内部を観察することが可能となる。
【００５６】
また絶縁性または防汚性が必要でない場合には、当該ガイド管１００を用いないことにより、細径のビデオスコープ２００を利用することができる。したがって、一つのビデオスコープによって狭隘な箇所と高電圧で送電されている箇所の両方に適用することができる。
【００５７】
またガイド管１００が任意の曲げ形状を保持しうることから、回り込んだ位置を観察したり、作業員の位置よりも受光部２０８を立ち上げて（上方に延ばした状態で）作業を行うことができる。これにより、姿勢制御がなく安価で耐久性の高いビデオスコープを用いて、所望の角度で画像を得ることができる。
【００５８】
発明者らは、上記構成のガイド管１００を試作し、耐電圧性能試験を行った。試験は注水した水槽にガイド管１００を挿入した状態で交流１０ＫＶまたは２０ＫＶを印加し、外観の変形や損傷を観察した。試験結果として、両電圧で１分または５分経過した後にも、外観に異変は認められなかった。このことから、充分な耐電圧性能を有していることが証明された。
【００５９】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６０】
本発明は、ケーブルの先端に受光部を有するビデオスコープを、絶縁性および防汚性が必要な箇所に案内するためのガイド管として利用することができる。
【図面の簡単な説明】
【００６１】
【図１】ビデオスコープおよび本実施形態に係るガイド管の構成例を説明する図である。
【図２】ガイド管の構成を説明する図である。
【図３】本体チューブの構成を説明する図である。
【図４】先端部材の構成を説明する図である。
【図５】先端部材（アタッチメント）と本体チューブの接続を説明する図である。
【図６】ガイド管の使用態様を説明する図である。
【符号の説明】
【００６２】
１００…ガイド管、１０２…本体チューブ、１０４…フレキシブルチューブ、１０６…第１被覆、１０８…第２被覆、１１０…先端部材、１１２…アタッチメント、１１２ａ…内孔、１１２ｂ…雄ネジ、１１２ｃ…溝、１１３…糸、１１４…ガイドカバー、１１４ａ…内孔、１１４ｂ…雌ネジ、１１４ｃ…開口部、１１４ｄ…小径部、１１６…防水シール、１１８…Ｏリング、１２０…透明カバー、１３０…後端部材、２００…ビデオスコープ、２０２…本体、２０２ａ…上面、２０２ｂ…バッテリ、２０４…ケーブル、２０６…先端部、２０６ａ…凸部、２０８…受光部、２１０…照明、２１２…録画装置、２１４…ケース、３００…電気機器
【図１】
2010122291.tif 000003
【図２】
2010122291.tif 000004
【図３】
2010122291.tif 000005
【図４】
2010122291.tif 000006
【図５】
2010122291.tif 000007
【図６】
2010122291.tif 000008